(57)【要約】【課題】  デザイン性、特には装飾性、さらには耐久性、強度、機能性及び操作性に優れ、かつ、軽量化も容易な鋏又は鉗子の柄部の特徴的な構造及びその製造方法を提供すること。【解決手段】  色合い又は密度の異なる金属、金属及び合成樹脂といった異なる材料を積層して一体化した積層材から削り出し加工又はその他の三次元形状加工により製造される鋏１０又は鉗子等の柄部３，４の特徴的な構造及びその製造方法であって、当該製法により得られた柄部３，４は、従来製法では出来得なかった個性秀でたデザイン性、とりわけ装飾性を備えている。【選択図】図１
2013103039.tif 000002
【特許請求の範囲】
【請求項１】
異なる材料を積層して一体化した積層材から削り出し加工又はその他の三次元形状加工により製造された鋏又は鉗子の柄部の特徴的な構造。
【請求項２】
前記積層材は、色合い又は密度の異なる金属を積層して一体化したものである請求項１に記載の鋏又は鉗子の柄部の特徴的な構造。
【請求項３】
前記積層材は、金属及び合成樹脂を積層して一体化したものである請求項１に記載の鋏又は鉗子の柄部の特徴的な構造。
【請求項４】
前記積層材は、銅イオン又は銀イオンを生じる金属を含むものである請求項１ないし３の何れか一項に記載の鋏又は鉗子の柄部の特徴的な構造。
【請求項５】
請求項１ないし４の何れか一項に記載の柄部の特徴的な構造を備えた鋏又は鉗子。
【請求項６】
異なる材料を積層して一体化した積層材から削り出し加工又はその他の三次元形状加工により鋏又は鉗子の柄部を製造する方法。
【発明の詳細な説明】
【技術分野】
【０００１】
本発明は、鋏、鉗子、それらの柄部の特徴的な構造及びその製造方法に関するものであり、より詳細には、デザイン性、特には装飾性、さらには、耐久性、機能性及び操作性に優れた鋏、鉗子、それらの柄部の特徴的な構造及びその製造方法に関するものである。
【背景技術】
【０００２】
従来、鋏又は鉗子等の柄部は、打ち抜き、鍛造又は鋳造（メタルインジェクションモールディング（ミム）を含む）により製造することが一般的である。
そして、それらのデザイン性、装飾性を高めるために柄の部分を着色する実用的な方法としては、金属にメッキやコーティング塗装を施すか、材質を合成樹脂に替えて用いるという方法に限られていた。
【０００３】
しかしながら、メッキやコーティング塗装による着色は、耐久性が劣っていたり、複雑な色分けが困難であるという欠点がある。
また、合成樹脂を用いる方法においても、耐久性や強度が劣るという問題や、質感、重量バランスや高級感に欠けるという欠点がある。
従って、従来の理美容鋏や鉗子等の柄部は、単一の金属材料（ステンレス鋼等）から製造され、塗装やメッキが施されていないものが一般的である（特許文献１，２参照）。
【先行技術文献】
【特許文献】
【０００４】
【特許文献１】特開２０１０−２２７７０４号公報
【特許文献２】特開２０１０−１３６９１９号公報
【発明の概要】
【発明が解決しようとする課題】
【０００５】
本発明が解決しようとする課題は、鋏又は鉗子の柄部のデザイン性や装飾性を高めるために行われるメッキやコーティング塗装による着色は、耐久性が劣っていたり、複雑な色分けが困難であること、合成樹脂を用いる方法においても、耐久性や強度が劣っていたり、質感、重量バランスや高級感に欠けるということがあり、本発明の目的は、デザイン性、特には装飾性、さらには、耐久性、強度、精度及び操作性に優れた鋏、鉗子、それらの柄部の特徴的な構造及びその製造方法を提供することにある。
【０００６】
さらに、本発明は、強度に優れ、かつ、軽量化を達成出来る鋏、鉗子、それらの柄部及びそれらの製造方法を提供することにある。
【０００７】
また、本発明は、抗菌性等を有する金属積層材を用いることで、機能性を高めた鋏、鉗子、それらの柄部及びそれらの製造方法を提供することにある。
【課題を解決するための手段】
【０００８】
本発明は、『異なる材料を積層して一体化した積層材から削り出し加工又はその他の三次元形状加工といった、従来の加工方法では作り難い加工方法を用いることで製造された高い装飾性を有する鋏又は鉗子の柄部の特徴的な構造。』を最も主要な特徴とするものである。
ここで、前記三次元形状加工には、薬品を用いて溶かしたり、レーザー光により融かしたり、電気分解を使用したり、研磨したり、部分的に打ち抜きの手法を用いたりすること等による加工が含まれる。
【０００９】
さらに、より好ましくは、鋏又は鉗子の柄部を構成する前記積層材は、色合い又は密度の異なる金属を積層して一体化したもの、又は、金属及び合成樹脂を積層して一体化したものであることを特徴とする。
【００１０】
また、鋏又は鉗子の柄部を構成する前記積層材は、銅イオン又は銀イオンを生じる金属を含むものであってもよい。
【発明の効果】
【００１１】
上記構成を採用したことにより、本発明の鋏又は鉗子の柄部は、デザイン性、特には装飾性、さらには、耐久性、強度、精度及び操作性に優れたものとすることが出来る。
即ち、鋏又は鉗子等の柄部等に、異なる材料を積層して一体化した積層材を用いることにより、従来製法では出来得なかった個性秀でたデザイン性、とりわけ装飾性が、柄部を三次元状態に形成加工することによって、積層材（複層材）の持つ異なった色合い、質感の違いが意図出来難い三次元の模様となって現れ、独特なデザイン性と装飾性を発揮する特徴的な構造を備えたものとなる。
【００１２】
従来の三次元加工の製法である鍛造、鋳造、主に型を用いる加工製造法では、型抜き方向による形状の制約があるため、本願発明によって得られる特徴を備えた柄部を製造することは出来ず、本発明による独自の新規な製法である、異なる材料を積層して一体化した積層材に対して削り出し加工又はその他の三次元形状加工を用いることで、新規かつ優れたデザイン性と装飾性を得ることが出来る。
【００１３】
さらには、本発明は、強度に優れ、かつ、軽量化を達成出来る鋏、鉗子、それらの柄部の特徴的な構造及びその製造方法を提供することが出来る。
また、本発明は、抗菌性等を有する金属積層材又は合成樹脂材料を用いることで、機能性及び操作性を高めた鋏、鉗子、それらの柄部の特徴的な構造及びその製造方法を提供することにある。
【図面の簡単な説明】
【００１４】
【図１】本発明を具体化した柄部を備えた実施例１の鋏を示す斜視図である。
【図２】本発明を具体化した鋏の柄部を製造する様子を説明するための図であって、（Ａ）は柄部を製造する原材料となる積層材（金属ブロック）の斜視図、（Ｂ）は積層材と柄部の位置関係を示す側面図、（Ｃ）は製造された柄部の平面図である。
【図３】本発明を具体化した柄部を備えた実施例２の鋏を示し、（Ａ）は鋏の平面図、（Ｂ）は鋏の側面図である。
【図４】本発明を具体化した鋏の柄部を製造する様子を説明するための図であって、（Ａ）は柄部を製造する原材料となる積層材（金属ブロック）の側面図、（Ｂ）は柄部を製造する原材料となる積層材（金属ブロック）の斜視図、（Ｃ）は積層材と柄部の位置関係を示す平面図、（Ｄ）は製造された柄部の平面図である。
【図５】本発明を具体化した柄部を備えた実施例３の手術用鉗子を示す平面図である。
【図６】本発明を具体化した鋏又は鉗子の柄部を製造する原材料となる積層材を示す側面図である。
【発明を実施するための形態】
【００１５】
本発明は、異なる材料を積層して一体化した積層材（複合材料）から削り出し加工又はその他の三次元形状加工（薬品を用いて溶かしたり、レーザー光により融かしたり、電気分解を使用したり、研磨したり、部分的に打ち抜きの手法を用いたりすること等による加工）により鋏又は鉗子の柄部を製造するようにしたものである。
そして、本願発明は、従来公知の加工方法（打ち抜き、鍛造又は鋳造）では作り難なかったデザイン性、特には装飾性、さらには、耐久性、強度、精度及び操作性に優れた柄部を備えた鋏又は鉗子を提供出来るものである。
【００１６】
さらに、本発明は、強度に優れ、かつ、軽量化を達成出来る鋏、鉗子、それらの柄部の特徴的な構造及びその製造方法を提供することが出来る。
【００１７】
また、本発明は、鋏又は鉗子の柄部を構成する前記積層材として、銅イオン又は銀イオンを生じる金属を用いることで、抗菌性を備えた鋏又は鉗子を提供することが出来る。
【実施例１】
【００１８】
以下、本発明を理美容鋏の柄部に具体化した一実施例について説明する。
図１に示すように、理美容鋏１０は、ステンレス鋼製（場合によってはコバルト基合金製等であってもよい。）の一対の刃体１，２及びそれらの刃体１，２に対して着脱可能に連結される柄部３，４を備えている。
【００１９】
さらに、前記一対の刃体１，２は、軸部を構成する雄ねじ５及び雌ねじ６にて互いに適度に締め付けられて回動可能に軸支されるようになっている。
なお、上記の刃体１，２の基部に対して柄部３，４を噛み合わせてボルト７にて固定するようにした柄部３，４の連結部８の詳細な構造例については、本件出願人による特開２０１０−２２７７０４にて説明されている。
【００２０】
図２に示すように、前記柄部３，４は、ステンレス鋼Ｓと真鍮Ｂを複数積層して一体化した金属積層材Ｍ１から削り出し加工及び仕上げの研磨加工によって製造されるものであり、銀色のステンレス鋼Ｓからなる部分と、黄色の真鍮Ｂからなる部分が縞模様のように柄部３，４の表面に交互に表れるようになっている。
【００２１】
さらに、前記柄部３，４の指環部３ａ，４ａ及び柄部３の指掛け部３ｂには、複数個の透孔９を形成して独創的な装飾性を備えるようにすることで、外観デザインの向上及び柄部３，４の軽量化を図っている。
従って、柄部３，４の外観デザインを従来には存在しない複雑で美麗な独特のものとすることが出来、理美容鋏１０の高級感を高めたり操作性を向上させることが出来る。
【００２２】
また、柄部３，４の真鍮Ｂからなる部分については、銅イオンを生じるため、柄部３，４に抗菌性という機能を付与することが出来る。
なお、特に柄部３，４の連結部８については、金属を薄く精密に加工する必要があり、強度に優れたステンレス鋼Ｓのみからなる金属層Ｓ１から構成されている。
【００２３】
上記柄部３，４を製造するには、まず図２に示すように、ステンレス鋼Ｓと真鍮Ｂを複数積層して一体化した金属積層材Ｍ１を用意する。ここで、前記金属積層材Ｍ１の一端面（図２（Ａ）における下端面）には、強度に優れたステンレス鋼のみからなる厚めの金属層Ｓ１を設けておく。
そして、柄部３，４の連結部８に対応する部分については、この金属層Ｓ１から削り出すようにする。
【００２４】
この削り出し加工により本発明を実施する場合は、複合加工機、又は、３軸、４軸、５軸マシニングセンタ等を用いると良い。これらの加工機により、金属の他、セラミックス、合成樹脂、それらを積層して一体化した積層材についても精密な削り出し加工が可能である。
【００２５】
よって、本発明の鋏１０の柄部３，４を製造するに際しては、金属を積層して一体化した積層材の他、金属と合成樹脂を積層して一体化した積層材を用いてもよい。
なお、本発明で使用する積層材は、成分、性質、色等が異なる材料が積層された状態で互いに接合されており、削り出された商品としての使用に耐えうるように強固に一体化されているものであればよく、加熱及び加圧等による一体化の他、接着剤による接合によって一体化している積層材であってもよい。
【実施例２】
【００２６】
図３は、本発明の実施例２の鋏２０を示す図であって、前記実施例１と同様に、ステンレス鋼製の一対の刃体１，２及びそれらの刃体１，２に対して着脱可能に連結される柄部２３，２４を備えている。
本実施例の柄部２３，２４には、削り出し加工及び仕上げの研磨加工によって得られる網目状の造形（複数の透孔２９が形成された複雑な三次元の立体形状）が施されており、高いデザイン性及び装飾性を備えたものとなっている。
【００２７】
さらに、前記一対の刃体１，２は、軸部を構成する雄ねじ５及び雌ねじ６にて互いに適度に締め付けられて回動可能に軸支されるようになっており、それらの刃体１，２の基部に対して柄部２３，２４の連結部８を噛み合わせてボルト７にて固定するようにしている。
【００２８】
図４（Ａ）〜（Ｄ）に示すように、前記柄部２３，２４は、２枚のステンレス鋼Ｓと一枚の真鍮Ｂを積層して一体化した金属積層材Ｍ２から削り出し加工によって製造されるものであり、銀色のステンレス鋼Ｓからなる部分と、黄色の真鍮Ｂからなる部分が柄部２３，２４の表面に美麗に表れるようになっている。
【００２９】
従って、柄部２３，２４の外観デザインを従来には存在しない独特のものとすることが出来、理美容鋏２０の高級感を高めることが出来る。
また、柄部２３，２４の真鍮Ｂからなる部分については、銅イオンを生じるため、柄部２３，２４に抗菌性という機能を付与することが出来る。
なお、特に柄部２３，２４の連結部８については、金属を薄く精密に加工する必要があり、強度に優れたステンレス鋼Ｓが配置されるように構成されている。
【００３０】
この実施例２の鋏２０の柄部２３，２４についても、前記実施例１の鋏１０の柄部３，４と同様の複合加工機又はマシニングセンタ等の切削加工機等を用いることで積層材Ｍ２から削り出した後、仕上げの研磨加工によって製造が可能である。
【実施例３】
【００３１】
図５は、本発明の実施例３の鉗子３０を示す図であって、ステンレス鋼製の一対の鉗子片３１，３２及びそれらの鉗子片３１，３２を開閉操作するための柄部３３，３４及び軸部３５を備えている。
この柄部３３，３４は、ステンレス鋼Ｓと真鍮Ｂを複数積層して一体化した金属積層材Ｍ３から削り出し加工によって製造されるものであり、軸部３５周辺等における銀色のステンレス鋼Ｓからなる部分と、成分（色）の異なる２種類の真鍮Ｂ１，Ｂ２からなる部分が縞模様のように柄部３３，３４の表面に交互に表れるようになっている。
なお、積層材を構成する合金における銅の含有量を変更すること等によって合金の色を変更することが出来る。
【００３２】
従って、柄部３３，３４の外観デザインを従来には存在しない高い装飾性を備えた独特のものとすることが出来るばかりか、柄部３３，３４の真鍮Ｂからなる部分については、銅イオンを生じるため、柄部３３，３４に抗菌性という機能を付与することが出来る。
【００３３】
これらの柄部３３，３４についても、例えば、前記実施例１の鋏１０の柄部３，４と同様の複合加工機又はマシニングセンタ等の切削加工機等を用いることで積層材から削り出した後、仕上げの研磨加工によって製造が可能である。
また、積層材としては、図６（Ａ）及び図６（Ｂ）に示すように水平方向に合成樹脂Ｒ、セラミックス又はカーボンＣ、ステンレス鋼Ｓ、真鍮Ｂ等の金属といった複数の異なる材料を積層して一体化した積層材Ｍ３，Ｍ４の他、図６（Ｃ）に示すように斜め方向に異なる材料を積層して一体化した積層材Ｍ５を用いて柄部を製造してもよい。
【００３４】
なお、本発明は上記各実施例の形態に限定されるものではなく、梳鋏、事務用鋏、調理用鋏等について具体化して実施したり、本発明の趣旨を逸脱しない範囲で、各部の形状、サイズ、材質、加工方法、加工装置等を適宜変更してもよい。
例えば、真鍮の代わりに銀イオンを生じる合金を積層して一体化した積層材から抗菌性を備えた柄部を製造したり、アルミニウム、チタン合金、マグネシウム合金等といった密度の低い軽金属又は合成樹脂を積層して一体化した積層材から柄部を削り出すことで柄部を軽量化するようにして実施してもよい。
【００３５】
合成樹脂と金属を積層して一体化した積層材から柄部を製造すると、必要な柄部の強度と耐久性を確保しつつ柄部を軽量化出来るとともに、柄部の柔軟性を高めて腱鞘炎を防ぐ効果を得たり、着色が容易であることからデザイン性及び装飾性を高めることが出来る。さらには、合成樹脂に抗菌剤、金属粉末、石粉等各種の材料を含ませて柄部の機能を高めることが出来る。
また、磁性を有する合金を積層して一体化した積層材から柄部を製造すると、手指の血行を促進することによる疲労防止効果を期待出来る。
【００３６】
なお、焼き入れを行う刃体については、本発明で用いた積層材を用いるのは適当ではないが、焼き入れを行わない刃体や鉗子片等を用いる鋏又は鉗子その他の手術用機械器具については、刃体や鉗子片等についても本発明で用いた異なる材料を積層して一体化した積層材から削り出し加工にて刃体又は鉗子片等を製造してもよい。
さらには、１）合成樹脂とステンレス鋼、２）合成樹脂と炭素繊維強化樹脂、３）合成樹脂とセラミックス等を積層して一体化した積層材から鉗子片等の手術用機械器具を削り出し加工又はその他の三次元形状加工にて製造することで、強度及び操作性に優れ、かつ、鉗子片等の軽量化を図ることが出来るばかりか、金属と人体との接触を減らすことで、アレルギー反応の軽減等を図り、医師及び患者に優しい手術用機械器具を製造することが出来る。
【産業上の利用可能性】
【００３７】
本発明は、デザイン性、装飾性、耐久性、機能性及び重量バランス等の操作性に優れた鋏、鉗子、それらの柄部及びそれらの製造方法として、特に理美容鋏、医療機械器具の分野における産業上好適に利用することが出来る。
【符号の説明】
【００３８】
１    刃体
２    刃体
３    柄部
３ａ  指環部
３ｂ  指掛け部
４    柄部
４ａ  指環部
５    雄ねじ（軸部）
６    雌ねじ（軸部）
７    ボルト
８    連結部
９    透孔
１０    鋏
２０    鋏
２３    柄部
２４    柄部
２９    透孔
３０    鉗子
３１    鉗子片
３２    鉗子片
３３    柄部
３４    柄部
３５    軸部
Ｂ      真鍮
Ｂ１    真鍮
Ｂ２    真鍮
Ｃ      セラミックス又はカーボン（炭素繊維強化樹脂）
Ｍ      積層材（複合材料）
Ｍ１〜Ｍ５  積層材（複合材料）
Ｒ      合成樹脂
Ｓ      ステンレス鋼
Ｓ１    金属層（ステンレス鋼）
【図１】
2013103039.tif 000003
【図２】
2013103039.tif 000004
【図３】
2013103039.tif 000005
【図４】
2013103039.tif 000006
【図５】
2013103039.tif 000007
【図６】
2013103039.tif 000008